(57)【特許請求の範囲】
【請求項１】
第１の面に開口が形成された箱体と、
前記開口を塞ぐ蓋体と、
前記箱体の内部に収納されて、直流電力を交流電力に変換する電力変換部と、を備え、
前記箱体に対する前記第１の面側を前側とし、前記第１の面に対向する第２の面側を後側とした場合に、
前記箱体の前記第１の面に隣接する第３の面には、内側に凹んで前後に幅を有する凹部が形成され、
前記蓋体には、前記開口を塞いだ状態において前記凹部に嵌る引っ掛け部が形成され、
前記引っ掛け部は、互いに前後方向に離れて設けられた前方壁および後方壁と、前記前方壁と前記後方壁との間を塞ぐ閉塞部と、を有して構成されることを特徴とするパワーコンディショナ。
【請求項２】
前記閉塞部は、前記前方壁と前記後方壁との間に挿入されてブロック形状を呈するブロック部であることを特徴とする請求項１に記載のパワーコンディショナ。
【発明の詳細な説明】
【技術分野】
【０００１】
本発明は、直流電力を交流電力に変換するパワーコンディショナに関する。
【背景技術】
【０００２】
直流電力を交流電力に変換するパワーコンディショナにおいては、特許文献１に開示されているように、直流電力を交流電力に変換する電子・電気部品が、前面に開口が形成された箱体内に収納される。また、箱体に形成された開口は、蓋体によって塞がれる。
【０００３】
箱体の開口と蓋体との間に隙間が生じることを防ぐために、箱体に対して蓋体は固定される。蓋体を箱体に固定する固定構造としては、箱体の天面に凹部を形成し、蓋体には凹部に嵌る引っ掛け部を形成し、天面側では箱体と蓋体とを引っ掛け構造によって固定し、底面側では蓋体と箱体とをネジで締結して固定する構造がある。
【先行技術文献】
【特許文献】
【０００４】
【特許文献１】特開平１１−８４７６号公報
【発明の概要】
【発明が解決しようとする課題】
【０００５】
しかしながら、箱体の天面側で、凹部に引っ掛け部を引っ掛ける位置がずれてしまうと、箱体の開口と蓋体との間に隙間が生じてしまう場合がある。箱体の開口と蓋体との間に隙間が生じることは、パワーコンディショナの安定的な運用の面から好ましくない。
【０００６】
本発明は、上記に鑑みてなされたものであって、蓋体を固定する際に、引っ掛け部を嵌め込む位置のずれを生じにくくすることで、箱体の開口と蓋体との間に隙間の生じにくいパワーコンディショナを得ることを目的とする。
【課題を解決するための手段】
【０００７】
上述した課題を解決し、目的を達成するために、本発明は、第１の面に開口が形成された箱体と、開口を塞ぐ蓋体と、箱体の内部に収納されて、直流電力を交流電力に変換する電力変換部と、を備え、箱体に対する第１の面側を前側とし、第１の面に対向する第２の面側を後側とした場合に、箱体の第１の面に隣接する第３の面には、内側に凹んで前後に幅を有する凹部が形成され、蓋体には、開口を塞いだ状態において凹部に嵌る引っ掛け部が形成され、引っ掛け部は、互いに前後方向に離れて設けられた前方壁および後方壁と、前方壁と後方壁との間を塞ぐ閉塞部と、を有して構成されることを特徴とする。
【発明の効果】
【０００８】
本発明にかかるパワーコンディショナによれば、蓋体を固定する際に、引っ掛け部を引っ掛ける位置のずれを生じにくくすることで、箱体の開口と蓋体との間に隙間を生じにくくすることができるという効果を奏する。
【図面の簡単な説明】
【０００９】
【図１】図１は、本発明の実施の形態１にかかるパワーコンディショナを底面側から見た斜視図である。
【図２】図２は、パワーコンディショナの正面図である。
【図３】図３は、蓋体を取り外したパワーコンディショナを底面側から見た斜視図である。
【図４】図４は、蓋体を裏面側から見た斜視図である。
【図５】図５は、図２に示すＡ−Ａ線に沿って見た矢視断面図である。
【図６】図６は、図５に示すＢ部分を拡大した部分拡大断面図である。
【図７】図７は、箱体の凹部部分の部分拡大断面図である。
【図８】図８は、蓋体の引っ掛け部部分の部分拡大断面図である。
【図９】図９は、閉塞部の斜視図である。
【図１０】図１０は、比較例として示すパワーコンディショナの部分拡大断面図であって、図５に示すＢ部分に相当する部分を拡大した図である。
【図１１】図１１は、比較例として示すパワーコンディショナの部分拡大断面図であって、図５に示すＢ部分に相当する部分を拡大した図である。
【発明を実施するための形態】
【００１０】
以下に、本発明の実施の形態にかかるパワーコンディショナを図面に基づいて詳細に説明する。なお、この実施の形態によりこの発明が限定されるものではない。
【００１１】
実施の形態１．
図１は、本発明の実施の形態１にかかるパワーコンディショナ１０を底面側から見た斜視図である。図２は、パワーコンディショナ１０の正面図である。図３は、蓋体を取り外したパワーコンディショナ１０を底面側から見た斜視図である。図４は、蓋体を裏面側から見た斜視図である。図５は、図２に示すＡ−Ａ線に沿って見た矢視断面図である。図６は、図５に示すＢ部分を拡大した部分拡大断面図である。
【００１２】
パワーコンディショナ１０は、第１の面である前面１ａに開口１１が形成された箱体１と、開口１１を塞ぐ蓋体２とを備える。図３に示すように、箱体１の内部には、太陽電池モジュールで発電された直流電力を交流電力に変換する電力変換部１２が収納される。電力変換部１２は、リアクトル、回路部を含む複数の電子・電気部品を含んで構成されるが、詳細な構成の説明については省略する。
【００１３】
なお、以下の説明では、図５に示すように、前面１ａに対向する面を第２の面としての後面１ｂとし、前面１ａに隣接する面のうちパワーコンディショナ１０の据え付け姿勢における上方側となる面を第３の面である天面１ｃとし、前面１ａに隣接する面のうちパワーコンディショナ１０の据え付け姿勢における下方側となる面を第４の面である底面１ｄとする。また、箱体１に対する前面１ａ側を前側とし、後面１ｂ側を後側とする。すなわち、矢印Ｘに示す方向側が前側であり、矢印Ｘに示す方向の反対側が後側である。
【００１４】
図５，６に示すように、箱体１の天面１ｃには、凹部１３が形成されている。図７は、箱体１の凹部１３部分の部分拡大断面図である。凹部１３は、箱体１の内側に凹んで形成され、前後に幅を有している。
【００１５】
蓋体２には後側に向けて立設されて、箱体１の周囲を囲む囲み壁１４が形成されている。囲み壁１４のうち、箱体１の天面１ｃの外側を囲む部分には、凹部１３に嵌る引っ掛け部１５が形成されている。図８は、蓋体２の引っ掛け部１５部分の部分拡大断面図である。引っ掛け部１５は、互いに前後方向に離れて設けられた前方壁１４ａおよび後方壁１４ｂと、前方壁１４ａと後方壁１４ｂとの間を塞ぐ閉塞部１６とを有して構成される。前方壁１４ａの先端は、後方壁１４ｂ側に折り曲げられている。これにより、引っ掛け部１５全体として、囲み壁１４から離れた先端側のほうが根元側よりも前後幅が狭くなる。
【００１６】
図９は、閉塞部１６の斜視図である。図９に示すように、閉塞部１６はブロック形状を呈するブロック部である。閉塞部１６は、前方壁１４ａと後方壁１４ｂとの間に嵌め込まれて、溶接によって囲み壁１４に固定されている。
【００１７】
蓋体２は、箱体１の天面１ｃ側で引っ掛け部１５を凹部１３に嵌め込んだ状態で、図１，５に示すように底面１ｄ側で底面１ｄと囲み壁１４とがネジ４で締結されることで、箱体１に固定される。
【００１８】
以上説明したパワーコンディショナ１０によれば、前後に幅を有する凹部１３に対して、前後に幅を有する引っ掛け部１５を嵌め込むため、蓋体２の取り付け時に引っ掛け部１５の嵌め込み位置にずれが生じにくくなる。そのため、引っ掛け部１５の位置ずれによって箱体１の開口１１と蓋体２との間に隙間が生じにくくなる。これにより、パワーコンディショナ１０の安定的な運用を図ることができる。
【００１９】
パワーコンディショナ１０に対する比較例としてのパワーコンディショナ２０を、図１０，１１に示す。図１０，１１は、比較例として示すパワーコンディショナ２０の部分拡大断面図であって、図５に示すＢ部分に相当する部分を拡大した図である。
【００２０】
比較例にかかるパワーコンディショナ２０では、引っ掛け部２５が前方壁２４ａと後方壁２４ｂを有しているものの、閉塞部１６が設けられていない。そのため、図１１に示すように、正規の位置よりも前側にずれた位置で引っ掛け部２５を凹部１３に嵌め込むことが可能となってしまう。引っ掛け部２５の嵌め込み位置が前側にずれた場合であっても、後方壁２４ｂが凹部１３に嵌め込まれることで、底面側で箱体１と蓋体２２とをネジで締結することが可能となる。したがって、ネジの締結によって蓋体２２を固定できていると使用者が認識したにもかかわらず、引っ掛け部２５のずれによって蓋体２２と箱体１の開口１１との間に隙間が生じてしまう場合がある。
【００２１】
本実施の形態１にかかるパワーコンディショナ１０では、前方壁１４ａと後方壁１４ｂとの間が閉塞部１６によって塞がれているので、正規の位置からずれた位置で引っ掛け部１５が凹部１３に嵌め込まれにくくなる。また、引っ掛け部１５が凹部１３に嵌め込まれなければ、箱体１の底面１ｄと蓋体２の囲み壁１４とを重ねることができないため、箱体１と蓋体２とをネジ４で締結することが難しい。そのため、蓋体２が正規に取り付けられていないことを使用者が認識しやすくなる。
【００２２】
また、前方壁１４ａの先端が後方壁１４ｂ側に折り曲げられているので、引っ掛け部１５を凹部１３に円滑に嵌め込むことができる。
【００２３】
なお、閉塞部１６は、ブロック形状を呈するものに限られない。前方壁１４ａと後方壁１４ｂとの間を塞ぐものであればよく、前方壁１４ａの先端と後方壁１４ｂの先端とを結ぶ板状形状を呈するものであってもよい。
【００２４】
また、図４に示すように、本実施の形態１では、蓋体２に対して引っ掛け部１５が２箇所に設けられているが、１箇所に設けられていてもよいし、３箇所以上に設けられていてもよい。また、蓋体２の左右幅全体にわたって延びる棒状形状を呈するように引っ掛け部１５が形成されていてもよい。この場合には、箱体１に形成される凹部１３も左右幅全体にわたって延びる溝状に形成されればよい。
【符号の説明】
【００２５】
１  箱体、１ａ  前面（第１の面）、１ｂ  後面（第２の面）、１ｃ  天面（第３の面）、１ｄ  底面（第４の面）、２  蓋体、４  ネジ、１０  パワーコンディショナ、１１  開口、１２  電力変換部、１３  凹部、１４  囲み壁、１４ａ  前方壁、１４ｂ  後方壁、１５  引っ掛け部、１６  閉塞部、２０  パワーコンディショナ、２２  蓋体、２４ａ  前方壁、２４ｂ  後方壁。
【図１】
0006308900.tif 000002
【図２】
0006308900.tif 000003
【図３】
0006308900.tif 000004
【図４】
0006308900.tif 000005
【図５】
0006308900.tif 000006
【図６】
0006308900.tif 000007
【図７】
0006308900.tif 000008
【図８】
0006308900.tif 000009
【図９】
0006308900.tif 000010
【図１０】
0006308900.tif 000011
【図１１】
0006308900.tif 000012